(57)【要約】【課題】少ない材料と安価な加工で被梱包物の保護が可能な梱包装置の下部梱包部材を提供する。【解決手段】平板状の部材からなり、断面が略コの字状になるように両端が折り曲げられたシート１と、前記シート１の折り曲げられた両端間に挿入される緩衝材５、６から構成され、前記シート１の折り曲げられた両端間に形成される平面部１ａに、切り込みをいれて形成した立ち上がり部４を設け、前記緩衝材５に、前記立ち上がり部４が挿入される貫通穴７を設けたもので、シート１に設けた立ち上がり部４で緩衝材５を部分的に補強することが可能となり緩衝材５自体の強度を上げる事なく緩衝材５の強度を向上させるため、少ない材料使用量で安価な梱包装置の下部梱包部材を提供することが出来る。また部品点数を増やすことも無いので組み立ての作業工数の増加も無い。【選択図】図２
2008143563.tif 000002
【特許請求の範囲】
【請求項１】
平板状の部材からなり、断面が略コの字状になるように両端が折り曲げられたシートと、前記シートの折り曲げられた両端間に挿入される緩衝材から構成され、前記シートの折り曲げられた両端間に形成される平面部に、切り込みをいれて形成した立ち上がり部を設け、前記緩衝材に、前記立ち上がり部が挿入される貫通穴を設けた梱包装置の下部梱包部材。
【請求項２】
立ち上がり部の高さを、緩衝材の貫通穴の深さより高く、かつ被梱包物に接触するように設定した請求項１に記載の梱包装置の下部梱包部材。
【発明の詳細な説明】
【技術分野】
【０００１】
本発明は、挿入された被梱包物を支持し保護する梱包装置の下部梱包部材に関するものである。
【背景技術】
【０００２】
従来の梱包装置の下部梱包部材１０は、図４に示すように、トレイ状に形成した箱１１と、箱１１の中に挿入され、被梱包物（図示せず）の下部を支持する緩衝材１２、１３から形成されていた（例えば、特許文献１参照）。
【特許文献１】実開平６−７８２９４号公報
【発明の開示】
【発明が解決しようとする課題】
【０００３】
しかしながら、上記従来の梱包装置の下部梱包部材の構成では、箱１１に設けた緩衝材１２、１３で被梱包物を保護するため、緩衝材１２、１３自体の強度を上げたり、部分的に緩衝材１２、１３の強度を上げるため別部品で補強するなどの必要があった。
【０００４】
本発明は、このような従来の課題を解決するもので、少ない材料使用量で、被梱包物を確実に保護することができる梱包装置の下部梱包部材を提供することを目的とするものである。
【課題を解決するための手段】
【０００５】
上記課題を解決するために、本発明の梱包装置の下部梱包部材は、平板状の部材からなり、断面が略コの字状になるように両端が折り曲げられたシートと、前記シートの折り曲げられた両端間に挿入される緩衝材から構成され、前記シートの折り曲げられた両端間に形成される平面部に、切り込みをいれて形成した立ち上がり部を設け、前記緩衝材に、前記立ち上がり部が挿入される貫通穴を設けたもので、シートに設けた立ち上がり部で緩衝材を部分的に補強することが可能となり緩衝材自体の強度を上げる事なく緩衝材の強度を向上させるため、少ない材料使用量で安価な梱包装置の下部梱包部材を提供することが出来る。また部品点数を増やすことも無いので組み立ての作業工数の増加も無い。
【発明の効果】
【０００６】
本発明の梱包装置の下部梱包部材は、少ない材料使用量と単純な加工で被梱包物を保護することが可能である。
【発明を実施するための最良の形態】
【０００７】
第１の発明は、平板状の部材からなり、断面が略コの字状になるように両端が折り曲げられたシートと、前記シートの折り曲げられた両端間に挿入される緩衝材から構成され、前記シートの折り曲げられた両端間に形成される平面部に、切り込みをいれて形成した立ち上がり部を設け、前記緩衝材に、前記立ち上がり部が挿入される貫通穴を設けたもので、シートに設けた立ち上がり部で緩衝材を部分的に補強することが可能となり緩衝材自体の強度を上げる事なく緩衝材の強度を向上させるため、少ない材料使用量で安価な梱包装置の下部梱包部材を提供することが出来る。また部品点数を増やすことも無いので組み立ての作業工数の増加も無い。
【０００８】
第２の発明は、特に、第１の発明の立ち上がり部の高さを、緩衝材の貫通穴の深さより高く、かつ被梱包物に接触するように設定したもので、強度のあるシートで被梱包物を先に支持し、被梱包物の自重で立ち上がり部が歪んだ後で緩衝材全面による被梱包物全体を
支持する２段構成での被梱包物支持が可能となり、被梱包物の部分的補強と保護機能が優れた梱包装置の下部梱包部材となる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における梱包装置の下部梱包部材の分解斜視図、図２は、同梱包装置の下部梱包部材の斜視図、図３は、同梱包装置の下部梱包部材の要部断面図である。
【００１１】
図１から図３において、本実施の形態における梱包装置の下部梱包部材は、段ボールなどの部材からなる１枚の平板状のシート１と、緩衝材５、６から構成されている。シート１の両端を、断面形状が略コの字状になるように折り曲げて形成した折り曲げ部２・３を設け、このシート１の折り曲げ部２、３間の平面部１ａに、舌状の切り込みを入れ折り曲げて立ち上がり部４を設ける。さらに、折り曲げ部２、３のそれぞれの両端を連結し、折り曲げ部２、３間の平面部１ａに緩衝材５、６を挿入する。この緩衝材５には、上下に貫通する貫通穴７が設けられている。
【００１２】
そして、緩衝材５、６をシート１に挿入する時、シート１の立ち上がり部４を、緩衝材５の貫通穴７に挿入し、緩衝材５、６をシート１に挿入しシート１の折り曲げ部２、３に設けた切り込み部でシート１に固定する。
【００１３】
なお、本実施の形態では、立ち上がり部４の立ち上がり高さＨを、緩衝材５の貫通穴７の深さＤより高くすると共に、被梱包物（図示せず）を緩衝材５に挿入した時に、その被梱包物に接触する高さになるように設定している。
【００１４】
以上のように、本実施の形態によれば、シート１に設けた立ち上がり部４を緩衝材５に設けた貫通穴７に挿入することにより、緩衝材５を部分的に補強することが可能となり、緩衝材５の強度向上になり被梱包物の保護にもなる。また、立ち上がり部４によりシート１内での緩衝材５の位置決めも可能となる。
【００１５】
また、シート１に設けた立ち上がり部４の高さを、緩衝材５より飛び出す高さで、且つ被梱包物に接触する高さにしているので、被梱包物を緩衝材５に挿入した時に、被梱包物を、立ち上がり部４の先端で先に受け、立ち上がり部４が被梱包物の重さで歪んだ後に、緩衝材５全体で支持するようになり、立ち上がり部４による部分的補強による効果が十分に発揮され被梱包物の保護が可能となるものである。
【産業上の利用可能性】
【００１６】
以上のように、本発明にかかる梱包装置の下部梱包部材は、シートに設けた立ち上がり部で補強された緩衝材で被梱包物が支持されるので、より少ない部品点数で被梱包物の保護が可能であり、梱包装置の下部梱包部材以外の緩衝材などの固定方法にも利用が可能である。
【図面の簡単な説明】
【００１７】
【図１】本発明の実施の形態１における梱包装置の下部梱包部材の分解斜視図
【図２】同梱包装置の下部梱包部材の斜視図
【図３】同梱包装置の下部梱包部材の要部断面図
【図４】従来の梱包装置の下部梱包部材の斜視図
【符号の説明】
【００１８】
１  シート
１ａ  平面部
２、３  折り曲げ部
４  立ち上がり部
５、６  緩衝材
７  貫通穴
【図１】
2008143563.tif 000003
【図２】
2008143563.tif 000004
【図３】
2008143563.tif 000005
【図４】
2008143563.tif 000006